(57)【要約】【課題】分煙方式の構成を簡素化することによりその製造コストの低減を図る。【解決手段】形成されるエアーカーテンの大きさを、遊技者の口の高さにほぼ等しい水平面において、０．３〜０．６ｍ／ｓの気流の左右幅寸法を約２０〜３０ｃｍとし、前後幅寸法を３５ｃｍ以上とし、電動ハンドルの高さにほぼ等しい水平面において、０．３〜０．６ｍ／ｓの気流の左右幅寸法を約２０ｃｍとし、前後幅寸法を４５ｃｍ以上とし、さらに風速０．６ｍ／ｓ以上の気流の左右幅寸法を約１５〜２０ｃｍとした。【選択図】        図１
2007275353.tif 000002
【特許請求の範囲】
【請求項１】
隣り合う遊技機の境界上部に設けられて、吹出口より下方に向かって空気を吹き出す送風機を備え、吹き出された空気により上下方向に延びるエアーカーテンを形成して、隣席する遊技者の発する悪臭を遮断する分煙装置であって、
形成される前記エアーカーテンの大きさを、
遊技者の口の高さにほぼ等しい水平面において、０．３〜０．６ｍ／ｓの気流の左右幅寸法を約２０〜３０ｃｍとし、前後幅寸法を３５ｃｍ以上とし、
電動ハンドルの高さにほぼ等しい水平面において、０．３〜０．６ｍ／ｓの気流の左右幅寸法を約２０ｃｍとし、前後幅寸法を４５ｃｍ以上とした
ことを特徴とする分煙装置。
【請求項２】
前記送風機が、回転軸を左右方向に延設された多翼ファンを有し、吹出口の舌部を前面側にして配置され、吹き出す空気が前方斜め下方向に向くように配設されている
ことを特徴とする請求項１に記載の分煙装置。
【請求項３】
本体ケース前面の左右角部が大きな曲率半径にて丸みをおびている
ことを特徴とする請求項１または２に記載の分煙装置。
【請求項４】
運転入切スイッチ及び出力強弱スイッチの少なくともいずれかが遊技者から操作可能な位置に設けられている
ことを特徴とする請求項１から３のいずれか１項に記載の分煙装置。
【請求項５】
本体ケースの吸入口が設けられた側の側面を前後方向に開閉可能なグリルとし、該グリルに脱臭フィルタが取り付けられている
ことを特徴とする請求項１から４のいずれか１項に記載の分煙装置。
【請求項６】
前記脱臭フィルタが定期的に交換される
ことを特徴とする請求項５に記載の分煙装置。
【請求項７】
遊技機上方のデータ表示機と同じ高さに設けられている
ことを特徴とする請求項１から６のいずれか１項に記載の分煙装置。
【請求項８】
遊技機上方のメンテナンス板に取り付けられている
ことを特徴とする請求項１から６のいずれか１項に記載の分煙装置。
【発明の詳細な説明】
【技術分野】
【０００１】
本発明は、パチンコ機等が多数台並ぶ遊技場において、隣り合う遊技機間の上方スペースに設置され上方から下方へと向かう微風のエアーカーテンを当該遊技機間に形成して、隣席の喫煙者のタバコの煙・酒気・口臭等の悪臭を遮断する分煙装置に関する。
【背景技術】
【０００２】
パチンコ機等が多数台並ぶ遊技場の空気清浄装置として、従来、以下の汚染空気吸引清浄装置が提案されている。つまり、従来の汚染空気吸引清浄装置は、遊技機等の横に遊技機とは別に設けられた縦長の風洞を有し、この風洞内部の遠心ブロアーによって遊技機等の横に位置する吸込口より汚染空気を吸引し、風洞内部の吸込口後方に設けたオゾン発生部よりオゾンガスを発生させて、このオゾンガスと吸引した汚染空気とを混合して風洞上方の排出口より上方に向けて放出する。このように汚染空気とオゾンガスとを混合することにより汚染空気を清浄する（例えば、特許文献１参照）。
【０００３】
また、以下のような提案もされている。すなわち、パチンコ機の正面部分を構成する正面ガラスの外表面に脱臭作用を有する透明な酸化チタン（ＴｉＯ2）薄膜を形成することにより、或いは正面ガラスの外表面にイオンスパッタリング法によって銀（Ａｇ）を添着することにより、酸化チタン（ＴｉＯ2）や銀（Ａｇ）の脱臭作用を利用してパチンコ機にタバコの匂いが付着しないようにする提案がされている（例えば、特許文献２参照）。
【０００４】
【特許文献１】特開２００４―１２５２９２号公報
【特許文献２】特開平１０―０８５４１２号公報
【発明の開示】
【発明が解決しようとする課題】
【０００５】
しかしながら、上述のような従来の汚染空気吸引清浄装置においては、風洞上部の排出口より上方に向けて大量の空気を放出するため、特に冬場などでは空調された暖気が下降しにくくなり、空調効率も悪く装置の騒音、消費電力ともに高いという問題があった。また、パチンコ機あるいはスロット機などの横に遊技機等とは別の縦長の風洞を設け、この風洞内部に遠心ブロアーによる吸引機構を設け、遊技機等の横に位置する吸込口より周囲の臭気等の汚染空気を吸引するため、吸引部分を設けるスペースに制約があり、吸引効率は低く、装置が大型で構造も複雑という問題もあった。
【０００６】
一方、酸化チタンや銀の脱臭作用を利用してパチンコ機にタバコの匂いが付着しないようにする提案に関しては、パチンコ機に臭いが付着することについてはある程度解消できるが、隣席の喫煙者のタバコの煙・酒気・口臭等の悪臭を遮断できるものではない。
【０００７】
本発明は、係る従来の問題点を解決するためになされたものであって、その課題とするところは、分煙方式の構成を簡素化することによりその製造コストの低減を図ることであり、さらに、低騒音で省電力な常時運転に好適な分煙装置を得ることであり、そして、分煙装置の取付施工性の向上、使い勝手の向上及び能力の向上を推進することである。
【課題を解決するための手段】
【０００８】
上述の課題を達成するために、この発明に係る分煙装置は、隣り合う遊技機の境界上部に設けられて、吹出口より下方に向かって空気を吹き出す送風機を備え、吹き出された空気により上下方向に延びるエアーカーテンを形成して、隣席する遊技者の発する悪臭を遮断する分煙装置であって、形成されるエアーカーテンの大きさを、遊技者の口の高さにほぼ等しい水平面において、０．３〜０．６ｍ／ｓの気流の左右幅寸法を約２０〜３０ｃｍとし、前後幅寸法を３５ｃｍ以上とし、電動ハンドルの高さにほぼ等しい水平面において、０．３〜０．６ｍ／ｓの気流の左右幅寸法を約２０ｃｍとし、前後幅寸法を４５ｃｍ以上としたことを特徴とする。
【０００９】
ここで、遊技者の発する悪臭とは、遊技者のタバコの煙・酒気・口臭等の悪臭のことである。
【発明の効果】
【００１０】
この発明によれば、分煙方式の構成を簡素化することによりその製造コストの低減を図ることができ、さらに、低騒音で省電力な常時運転に好適な分煙装置を得ることができり、そして、分煙装置の取付施工性の向上、使い勝手の向上及び能力の向上を推進することができる。
【発明を実施するための最良の形態】
【００１１】
以下、本発明にかかる分煙装置の実施の形態を図面に基づいて詳細に説明する。なお、この実施の形態によりこの発明が限定されるものではない。
【００１２】
実施の形態１．
図１は本発明にかかる実施の形態１の分煙装置が設置された遊技場の斜視図である。図１において、例えばパチンコ店のような遊技場においては、遊技機であるパチンコ機１が多数台並んで設置されている。パチンコ機１は、正面ガラス３にて覆われた本体部４と、玉を出し入れする上段玉受皿５、下段玉受皿６及び玉を打ち出す電動ハンドル７などが設けられた操作部８とに大きく分けられる。
【００１３】
パチンコ機１正面ガラス３上方のデータ表示機取付面１０にデータ表示機９が取付けられている。そして、データ表示機９のさらに上方にメンテナンス板２が設けられている。このメンテナンス板２は、パチンコ機１内部の機械類をメンテナンスする場合に使用され、下開きに開閉するようになっている。
【００１４】
パチンコ機１の正面ガラス３とデータ表示機９の取付面１０とはほぼ同一面上にある。本実施の形態の分煙装置１２は、隣接する２台のパチンコ機１の上方で、データ表示機９とほぼ同一高さの位置に吹出口を下方に向けられて取り付けられている。
【００１５】
パチンコ機１の下方に小物を置くことができるテーブル１１が設けられている。テーブル１１の奥行き寸法は約１８ｃｍであり、このテーブル１１に灰皿が設けられている。なお、場所によってはテーブル１１に替わって棚が設けられているところもある。本実施の形態の分煙装置１２においては、本体下面に設けられた吹出口の高さから、遊技者の口の高さまでのまでの距離は３０〜５０ｃｍである。同じく、灰皿のあるテーブル１１の高さまでの距離は約７０ｃｍである。同じく、床面までの距離は約１６０ｃｍである。パチンコ機１の左右幅寸法は約５０ｃｍであり、隣り合う２台のパチンコ機の間隔は約２０ｃｍである。これにより、１人の遊技者の占有するスペースの左右幅寸法は約７０ｃｍであり、隣り合う二人の間はおおよそ２５〜３０ｃｍ離れることとなる。
【００１６】
図２は分煙装置１２の正面側から見た縦断面図である。図３は分煙装置１２の上面側から見た横断面図である。図４は分煙装置１２の右側面側から見た縦断面図である。図５は右側面に設けられたグリルを開放した状態の分煙装置１２の斜視図である。図６は分煙装置１２の右側面側斜め下方からから見た斜視図である。図２に示されるように、分煙装置１２は、微風エアーカーテンを形成する送風機２８を内蔵している。送風機２８は、多翼ファン式の送風機であり、シロッコファン１６とこれを回転駆動するモーター１３とシロッコファン１６の外周部を覆うファンケーシング１７とを有している。
【００１７】
送風機２８は、図４に示されるように、モーター１３の回転軸１３ａが正面側から見て左右方向に延びるように配置されている。送風機２８は、また、ファンケーシング１７の舌部１７ａが手前側（取付面１０と反対側）となり、吹出口２３が本体下面に形成された開口となるように配置されている。ファンケーシング１７の構造に関しては、吹出口２３の奥側（取付面１０側）の壁面１７ｂが取付面１０に対して約１０°前方方向に傾斜しており、吹出口２３部分には４本の吹出しルーバー２４が形成さており、各吹出しルーバー２４は、壁面１７ｂに対して５°ずつ角度を増すように、すなわち１５°、２０°、２５°、３０°となるように形成され、最も手前側の舌部１７ａ側の壁面は約３５°傾くように形成されている。分煙装置１２は、このような構造により吹出口２３から吹き出す空気が真下ではなく斜め前方に下向き吹き出すようにされている。
【００１８】
図２及び図３に示されるように、ファンケーシング１７の背面側壁面を構成するとともに駆動モーター１３を固定するモーター取付板１４ｂは、本体１４に対してほぼ直角に配置されて本体１４と一体成形にて作製されている。図２に示されるように、正面側より見て、本体１４のモーター１３側の上下端部に本体取付穴１５が設けられており、分煙装置１２は、図示しないセルフタップ機能を有したドリリングネジ等を本体取付穴１５に挿入されて、データ表示機９のわきのデータ表示機取付面１０に締着されている。
【００１９】
ここで、ファンケーシング１７の配置について別形態の場合に関して言及する。図４において、回転軸を左右配置する場合でも、前後方向は図４の逆、つまりスクロールの舌部を奥側に位置させ吹出口面側を本体手前側に位置させ、斜め前方に吹出すように配置することもできる。しかしながら、このような配置にすると、本体の奥行き寸法が本実施の形態のものより大きくなり、前後方向の風速分布においても均一な吹出風速を得ることができない。さらに、ファンの吸込口側を正面側に配置し、回転軸を前後配置する場合においても同様に前後方向の風速分布において均一な吹出風速を得ることができず、本体奥行き寸法もさほど薄くならず、正面に吸込みグリルがあり、意匠的にも良い物ではなくなる。このようなことから、本実施の形態の配置が最も優れていると言える。
【００２０】
また、本実施の形態１の分煙装置１２は、吹出口２３の奥側壁面１７ｂは取付面１０より約１０°前方側に傾斜し、舌部１７ａ側壁面は約３５°前方側に傾斜しているが、例えば奥側壁面１７ｂが取付面１０より約５°前方側に傾斜し、舌部１７ａ側壁面が約３０°前方側に配置したような、より真下側に吹き出すように構成した場合や、吹出口２３の前後方向の大きさを大きくとって舌部１７ａ側壁面を約４０°前方側に傾斜させて、エアーカーテンの前後幅寸法を大きくする等の変形例を本実施の形態の送風機２８の配置において行うことができる。
【００２１】
図２、図３及び図５に示されるように、ファンケーシング１７の吸込口１８には脱臭フィルタ２０を装着するためのフィルターホルダー１９が一体に成形されている。そして、このフィルターホルダー１９に脱臭フィルタ２０が装填されている。図５に示されるように、本体ケース２５の一側側面を構成するグリル２１が回動支点を本体背面側にて上下方向に延設されて前後方向に開閉するように設けられている。グリル２１は、閉じた状態にて、脱臭フィルタ２０をフィルターホルダー１９に確実に収めるように前面を支えている。また吸込口１８には、ファンの吸込みにより脱臭フィルタ２０が吸い込まれないように、またメンテナンス時に回転物であるシロッコファン１６に管理者が指などを入れないように網状のフィルタ押え２２がフィルターホルダー１９に設けられている。
【００２２】
分煙装置１２の外郭を形成する本体ケース２５は、上記送風機２８を覆う箱型形状を成し、本体天面の前面側は大きく丸みをおびており、その上方に位置するメンテナンス板２の開閉やその内部のメンテナンスの際に干渉しないようになっている。また本体下面の前面側は部分的にカットされた形状をしており、上記丸み部分とカット形状により、本体の奥行き寸法はさほど薄型設計ではないが、例えば管理者がデータ表示機９を確認する作業時に本実施の形態の分煙装置１２が視界を遮るという不具合をある程度回避している。
【００２３】
本実施の形態の脱臭フィルタ２０の交換は、送風機２８の吸込口１８が形成された本体ケース２５側面に前後方向に開閉するグリル２１を設け、このグリル２１に脱臭フィルタ２０を着脱可能に設けたため、右手でグリル２１を開閉した状態で脱臭フィルタ２０を脱着するグリル２１裏面が正面に見えるため、脱臭フィルタ２０の交換作業が容易でかつ短時間で行うことができる。
【００２４】
図６に示されるように、吹出口２３には吹出しルーバー２４が設けられており、遊技者が吹出口２３から指などを挿入して回転物であるシロッコファンに１６に触れないように考慮されている。また、吹出口２３の横には、運転入切スイッチ２６及び出力強弱スイッチ２７が設けられており、遊技者が任意に運転・停止を選択したり、エアーカーテンの大きさを２段階に切り替えたりすることができる。運転入切スイッチ２６により、例えば禁煙者同士が隣り合って分煙機能が必要ない場合には運転を停止することができる。また、出力強弱スイッチ２７により、気流が嫌いな遊技者の場合に弱運転にすることもできる。これらスイッチにより、分煙装置１２を設置するパチンコ店管理者が、エアーカーテンの機能を遊技者に強制するのではなく、この機能を必要とする者が必要に応じて使用できるサービスを提供することができる。
【００２５】
以上のように本実施の形態の分煙装置１２は、既に設置済みの遊技機間に容易に設置することができる。設置が容易であるため、例えば、営業時間が終了した夜間に大量に設置することも可能である。
【００２６】
また、遊技者が任意に運転・停止や、エアーカーテンの大きさを２段階に切り替えることができる。この機能により、例えば禁煙者同士が隣り合って分煙機能が必要ない場合には、運転を停止することができ、また、気流が嫌いな遊技者だと、弱運転することも自由に選択できる。これにより、分煙装置１２を設置するパチンコ店管理者が、エアーカーテンの機能を遊技者に強制するのではなく、この機能を必要とする者が必要に応じて使用できるサービス提供になる。
【００２７】
遊技場の管理者の保守点検の頻度に関しては、脱臭フィルタ２０の交換が３ヶ月に一度程度である。送風機２８のメンテナンスはほとんど不要であり、保守の手間を最小限に留めることができる。
【００２８】
本実施の形態の分煙装置１２は、本体側面の吸込口１８からタバコの煙を吸引するが、脱臭フィルタ２０を備えており、さらに多翼式ファンを採用しているため、タバコの煙を周辺空気と効率良く攪拌でき臭いを低減することができる。また、パチンコ機の上方に到達したタバコの煙が吹出口から再放出することを抑制することができる。
【００２９】
また、本実施の形態の分煙装置１２は、本体側面に送風機２８の吸込口１８を設けたため、正面には吸込口がなく意匠性が良い。さらに、本体側面に前後方向に開閉するグリル２１を設け、このグリル２１に脱臭フィルタ２０を着脱可能に設けたため、右手でグリルを開閉した状態で脱臭フィルタ２０を脱着するグリル２１裏面が正面に見えることとなり、脱臭フィルタ２０の交換作業が容易で短時間でできる。
【００３０】
さらに、分煙装置１２は、パチンコ機の上方の空気をパチンコ機の下方へ移動させるため、例えば冬場などに遊技場内の空気を効率良く攪拌することができる。また、脱臭フィルタ２０が空気中の臭いを吸着する機能とあいまって遊技場内の空気の清浄をすることができる。
【００３１】
また、本実施の形態の分煙装置１２においては、図３に示されるように、本体ケース２５前面の左右角部が大きな曲率半径にて丸みをおびている。このようにすることで、前後幅寸法が１２５ｍｍあり多少厚みがあるように見えるが、データ表示機９の視界を遮ることもなくスッキリした意匠となった。さらには、本体ケース２５を透明の樹脂などにより作製すればデータ表示機９の視界を遮ることをさらに低減することができる。
【００３２】
次いで、送風機２８の能力について言及する。本実施の形態の送風機２８は、羽根外径Φ８５、羽根幅４５ｍｍで例えば小型ダクト用換気扇などに使用されているものである。駆動モーター１３は、コンデンサーランモーターで極数は２極であり例えばパイプ用ファン等に使用されているような非常に小型で消費電力も低い大量生産型のものである。スクロール拡大率は、０．０７であり、スクロールの幅は６４ｍｍである。吹出口２３には奥行き寸法が約２０ｍｍ厚み２ｍｍの吹出しルーバー２４が４枚設けられており、左右幅寸法はスクロールの幅と同じ６４ｍｍで前後幅寸法は５５ｍｍであり、吹出面積はルーバーの部分を除いて３０ｃｍ2である。この送風機２８の吸込口１８に、大きさ約９０ｍｍ×９０ｍｍ、厚さ約３ｍｍの脱臭フィルタ２０が設けられている。脱臭フィルタ２０の圧損は、風量４０ｍ3／ｈ時でフィルター通過風速１．４ｍ／ｓ時、約２５Ｐａである。
【００３３】
図７は分煙装置１２が形成するエアーカーテンの風速測定位置を示す図である。図８は分煙装置１２の出力通常の場合の吹出口２３から８０ｃｍ下方の水平面位置の吹出風速分布を示す説明図である。図９は分煙装置１２の出力通常の場合の吹出口２３から５０ｃｍ下方の水平面位置の吹出風速分布を示す説明図である。上述の状態で送風機２８の能力は、周波数６０Ｈｚにて風量は４２．３ｍ3／ｈ、回転数１５４０／ｍｉｎ、平均吹出風速３．９ｍ／ｓ、消費電力６．６Ｗ、騒音３３．０ｄＢであった。そして、このときの吹出口２３から吹き出す吹出風は、右側に約５°だけ偏っていた。そのため、吹出風の左右の偏りを改善するために、左右方向に延びる吹出口２３のうち吸込口側を５ｍｍ塞いだ。そして、吹出口２３の左右幅寸法を５９ｍｍとした。この状態で送風機２８の能力は、風量は４１．７ｍ3／ｈ、回転数１５５０／ｍｉｎ、平均吹出風速４．３ｍ／ｓ、消費電力６．６Ｗ、騒音３３．１ｄＢであった。この状態がファンの吹出風の左右の偏りが最も少なく、吹出口２３から８０ｃｍ下方の水平面位置の風速分布が図８に示すものであり、吹出口２３から５０ｃｍ下方の水平面位置の風速分布が図９に示すものとなった。またこのとき、吹出口２３から１６０ｃｍ下方の水平面位置の最大風速は０．７ｍ／ｓであり、前後位置は約４７ｃｍであった。この風速分布は、図７に示す位置にて測定しており、例えば左右方向距離１５ｃｍとは、吹出口２３の中心から左側に１５ｃｍ離れた位置での吹出し風速であり、左右方向距離―５ｃｍとは、吹出口２３の中心から右側に５ｃｍ離れた位置での吹出し風速を示す。
【００３４】
ここで、吹出口２３から５０ｃｍ下方の水平面位置の風速分布は、遊技者の口の位置の高さでの吹出風速分布にほぼ等しい。風速０．３ｍ／ｓは、外乱がない状態での分煙効果の最低必要風速であり、また、気流を感じない程度の微風である。風速０．６ｍ／ｓであれば、分煙効果は確実に発生する。図９に示したものは、出力を通常とした場合のものであり、風速０．３〜０．６ｍ／ｓの気流の左右幅寸法は約２０ｃｍであるため、また、隣り合う遊技者と遊技者とは約３０ｃｍ離れているため、例えば遊技者が肩などに気流を感じて不快になるということがない。また、風速０．３〜０．６ｍ／ｓの気流の前後幅寸法は約３５ｃｍであるため良好に遮断することができる。
【００３５】
また、吹出口２３から８０ｃｍ下方の水平面位置の風速分布は、テーブル１１の位置の高さのものであり、灰皿の位置や電動ハンドル７の位置での吹出風速分布にほぼ等しい。図８に示したものは、出力を通常とした場合のものであり、風速０．３〜０．６ｍ／ｓの気流の左右幅寸法は約３０ｃｍであるため、また、遊技者と遊技者とは３０ｃｍ程度離れているため、例えば遊技者が電動ハンドル７を持つ手の部分で気流を感じて不快に感じる風速０．６ｍ／ｓ以上の気流の左右幅寸法は約２０ｃｍに抑えられているため、さらには、後述するように出力を低下さえるモード機能があり問題はない。この場合、灰皿の煙なども良好に遮断でき、微風速であるため、喫煙にも問題がない。また、最大風速のポイントは前後方向で約３５ｃｍであるため、テーブル１１の奥行き寸法が１８ｃｍあっても、エアーカーテンの風速が早い気流がテーブルに衝突することによりその部分で例えば灰皿の中のタバコの灰がこの気流により飛び散ってしまうなどの不具合も解消されている。
【００３６】
次に、ファンの吹出口２３の幅方向の内、吸込口側を５ｍｍ、モーター側を５ｍｍ塞ぎ、吹出口２３の左右幅寸法を５４ｍｍとした。この状態で送風機２８の能力は、風量は４０ｍ3／ｈ、回転数１５６０／ｍｉｎ、平均吹出風速４．５ｍ／ｓ、消費電力６．６Ｗ、騒音３３．３ｄＢである。このとき、ファンの吹出風は左側に約４°だけ偏った。このように、吹出口２３の左右幅寸法を塞ぐことで、吹出風の左右の偏りを改善することができ、これによる消費電力や騒音もほとんど変化なく遮断能力も良好であった。
【００３７】
図１０は分煙装置１２の出力を所定量減じた場合の分煙装置の吹出口２３から８０ｃｍ下方の水平面位置の吹出風速分布を示す説明図である。図１１は分煙装置１２の出力を所定量減じた場合の分煙装置の吹出口２３から５０ｃｍ下方の水平面位置の吹出風速分布を示す説明図である。吹出風の左右の偏りを改善した吹出口２３の左右幅寸法を５９ｍｍにしたものにおいて、出力を所定量減として、すなわち回転数を８０％に減じて遮断能力を調べた。この状態で送風機２８の能力は、風量３３．４ｍ3／ｈ、回転数１２４０／ｍｉｎ、平均吹出風速３．４ｍ／ｓ、消費電力４．２Ｗ、騒音２８ｄＢであった。この場合、吹出口２３から８０ｃｍ下方の水平面位置の風速分布が図１０に示すものであり、さらには吹出口２３から５０ｃｍ下方の水平面位置の風速分布が図１１に示すものとなった。また、吹出口２３から１６０ｃｍ下方の水平面位置の最大風速は０．６ｍ／ｓであり、前後位置は約４７ｃｍであった。
【００３８】
図１１に示した出力を所定量減とした場合の吹出口２３から５０ｃｍ下方の水平面位置の風速分布を詳細に説明すると、風速０．３〜０．６ｍ／ｓの気流の左右幅寸法は出力通常の場合と同様、約２０ｃｍであった。また、風速０．３〜０．６ｍ／ｓの気流の前後幅寸法も約３５ｃｍであるため良好に遮断することができた。
【００３９】
図１０に示すように、吹出口２３から８０ｃｍ下方の水平面位置の風速分布は、風速０．３〜０．６ｍ／ｓの気流の左右幅寸法が約２５ｃｍであり、出力通常の場合より幅は小さくなり、例えば遊技者が電動ハンドル７を持つ手の部分で気流を感じて不快に感じる風速０．６ｍ／ｓ以上の気流の左右幅寸法は約１５ｃｍに抑えられている。この場合、灰皿の煙なども良好に遮断でき、微風速であるため、喫煙にも問題がない。
【００４０】
一般的に送風機２８を回転数制御する場合、風量は回転数に、軸動力は回転数の３乗に比例し、騒音は回転数の６乗に比例する。コンデンサーランモーターの場合、モーター効率は回転数にほぼ比例するため、消費電力は回転数比の２乗で低下する。
【００４１】
図１４は分煙装置の出力が最小の場合の分煙装置の吹出口２３から８０ｃｍ下方の水平面位置の吹出風速分布を示す説明図である。上述の状態にて出力を最小として、つまり回転数を７０％に減じて遮断能力を調べた。吹出口２３から８０ｃｍ下方の水平面位置の風速分布が図１４に示すものとなった。風速０．３〜０．６ｍ／ｓの気流の範囲は、回転数を８０％の場合の図１０に比べ小さくなっている。この状態においても分煙効果はあったが、外乱の影響を受け易いため、出力不足を感じた。
【００４２】
図１２は分煙装置１２の出力所定量減、吹出口２３面積縮小の場合の分煙装置の吹出口２３から８０ｃｍ下方の水平面位置の吹出風速分布を示す説明図である。図１３は分煙装置１２の出力所定量減、吹出口２３面積縮小の場合の分煙装置の吹出口２３から５０ｃｍ下方の水平面位置の吹出風速分布を示す説明図である。吹出風の左右の偏りを改善した吹出口２３の左右幅寸法を５９ｍｍしたものにおいて、出力を所定量減として、すなわち回転数を８０％に減じた状態において、ファンの吹出口２３の左右方向両端を両方５ｍｍずつ塞いだ。すなわち吸込口側を１０ｍｍ、モーター側を５ｍｍ塞ぎ、吹出口２３の左右幅寸法を４９ｍｍとした。この状態で送風機２８の能力は、風量は３３．０ｍ3／ｈ、回転数１２６０／ｍｉｎ、平均吹出風速３．６ｍ／ｓ、消費電力４．２Ｗ、騒音２８ｄＢであった。この場合、吹出口２３から８０ｃｍ下方の水平面位置の風速分布が図１２に示すものであり、さらには吹出口２３から５０ｃｍ下方の水平面位置の風速分布が図１３に示すものであった。また、吹出口２３から１６０ｃｍ下方の時点の最大風速は０．５ｍ／ｓであり、前後位置は約４３ｃｍであった。
【００４３】
図１３に示すように、出力を所定量減として、さらに吹出口２３の幅方向を小さくした場合、吹出口２３から５０ｃｍ下方の水平面位置の風速分布は、風速０．３〜０．６ｍ／ｓの気流の左右幅寸法は出力通常の場合と同様約２０ｃｍであり、風速０．３〜０．６ｍ／ｓの気流の前後幅寸法も約３５ｃｍであるため良好に遮断することができた。
【００４４】
図１２に示すように、吹出口２３から８０ｃｍ下方の水平面位置の風速分布は、風速０．３〜０．６ｍ／ｓの気流の左右幅寸法は約２５ｃｍであり、出力通常の場合より幅は小さい。例えば遊技者が電動ハンドル７を持つ手の部分で気流を感じて不快に感じる風速０．６ｍ／ｓ以上の気流の左右幅寸法は約１５ｃｍに抑えられている。この場合、灰皿の煙なども良好に遮断でき、微風速となるため、喫煙にも問題がない。一般的に風量がほぼ同一で吹出口２３の面積を小さくすると、途中までは気流は良く到達するが、距離が離れると減衰が大きい。この場合、吹出口２３の大きさを小さくしない場合に比べ、吹出口２３から８０ｃｍ下方の水平面位置の風速分布ではわずかに改善されているようであったが、吹出口２３から１６０ｃｍ下方の時点の最大風速は０．５ｍ／ｓであり、吹出口２３の大きさを小さくしない場合の０．６ｍ／ｓよりわずかに低下した。
【００４５】
以上の結果より、エアーカーテンの大きさの最適値は、遊技者の口の位置の高さにほぼ等しい吹出口２３から５０ｃｍ下方の水平面位置の風速分布において、例えば遊技者が肩などに気流を感じて不快にならず分煙効果が確実に発生する風速として、０．３〜０．６ｍ／ｓの気流の左右幅寸法を２０ｃｍ〜３０ｃｍとし、前後幅寸法を３５ｃｍ以上とすることにより良好に遮断することができることが解った。
【００４６】
灰皿や電動ハンドル７の位置にほぼ等しい吹出口２３から８０ｃｍ下方の水平面位置の風速分布は、例えば遊技者が電動ハンドル７を持つ手の部分で気流を感じて不快に感じないように、さらには灰皿のタバコの灰が飛び散らないように、風速０．６ｍ／ｓ以上の気流で、左右幅寸法を１５〜２０ｃｍに抑える必要がある。また分煙効果が確実に発生する風速としては、０．３〜０．６ｍ／ｓの気流の左右幅寸法を２０〜３０ｃｍとし、前後幅寸法は４５ｃｍ以上とすることにより良好に遮断することができることが解った。
【００４７】
なお、本実施の形態においては、多数併設される遊技機として、パチンコ店のパチンコ機を例に挙げているが、遊技機としては、パチンコ機に限らず、例えばスロット機であってもよい。また、本実施の形態の分煙装置１２は、隣り合うパチンコ機の間のデータ表示機取付面１０に取り付けられているが、必ずしもデータ表示機取付面１０に取り付けられる必要はなく、隣り合う遊技機間の上方に設置されれば所定の効果を得ることができる。
【００４８】
以上のように本実施の形態の分煙装置は、パチンコ機あるいはスロット機などの隣り合う遊技機間の上方に設置され、製品下面に設けられた吹出口２３より下方に向かう微風エアーカーテンを形成することにより、隣席の喫煙者のタバコの煙・酒気・口臭等の悪臭を遮断する分煙装置であって、微風エアーカーテンの大きさを遊技者の口の位置の高さにほぼ等しい吹出口２３から５０ｃｍ下方の水平面位置において、０．３〜０．６ｍ／ｓの気流の左右幅寸法を２０〜３０ｃｍ程度とし、前後幅寸法は３５ｃｍ程度以上とすれば良く、さらには、灰皿の位置や、電動ハンドル７の位置にほぼ等しい吹出口２３から８０ｃｍ下方の水平面位置では、幅方向で２０ｃｍ程度、前後方向で４５ｃｍ程度以上、さらに風速０．６ｍ／ｓ以上の気流の左右幅寸法は１５〜２０ｃｍ程度に抑えるように構成すると遮断能力は外乱の影響も受けにくく理想的である。
【００４９】
このような構成により本実施の形態の分煙装置１２においては、遊技者がエアーカーテンにより不快になることがなく、さらに灰皿のタバコの灰などを吹き飛ばすというようなこともない。また、床面部分の最大風速を１．０ｍ／ｓ以下としているので床面の埃などを巻き上げることもない。さらには、空調機の気流や人の移動でエアーカーテンによるタバコの煙の遮断がうまく機能しない場合でも、その煙が一時的に一ヶ所に滞留することを抑制することができ、臭いも気にならないレベルにすることができる。さらに、タバコの煙がパチンコ機付近に滞留して、パチンコ機の例えば正面ガラスに付着することも抑制することができる。
【００５０】
このような送風機２８を備えた本実施の形態の分煙装置１２の大きさは、高さ寸法は１６０ｍｍ、左右幅寸法は１４０ｍｍ、奥行き寸法は１２５ｍｍ、質量は樹脂化することで約８００gに収めることができた。製品の取付工事に関しては、本体ケース２５を取外した状態で、本体背面板に直接、例えばドリリングネジを２本貫通させて締着することができ、大量な数の分煙装置１２を短時間で取り付けることが可能である。
【００５１】
実施の形態２．
図１５は本発明に係る実施の形態２の分煙装置が設置された遊技場の斜視図である。図１５において、本実施の形態の分煙装置４２は、データ表示機取付面１０よりさらに上方のメンテナンス板２に取り付られている。そして本実施の形態における分煙装置４２の吹出口（本体下面）から遊技者の口までの距離及び灰皿までの距離は、図１に示す実施の形態１のもの比べ２０ｃｍ程度大きくなるが、送風機の出力を大きくすることで同等の効果を得ることができる。
【００５２】
本実施の形態においては、メンテナンス板２に分煙装置４２を取り付けるので、分煙装置４２が重ければメンテナンス板２の開閉に支障をきたす。しかしながら、近年、コンデンサーランモーターも非常に小型で軽量なものが開発されており、このような軽量な小型モーターを使用することにより、分煙装置４２を約５００ｇに軽量化することが可能であり、これによりメンテナンス板２への取り付けも可能となる。なお、コンデンサーランモーターは電子部品などを使用していないため他機器への電波障害などの心配がない。
【００５３】
また、場所によってはデータ表示機取付面１０とメンテナンス板２との間に棚が設けられている遊技場もあるが、このような場合には、取付金具を使用して、例えば取付金具はデータ表示機取付面１０に固定して、分煙装置４２が棚の前方にくるように設置して、メンテナンス板２の開閉に支障がないようにすることもできる。
【００５４】
実施の形態１及び実施の形態２の分煙装置に関して、その消費電力は、強運転時でも１台当たり約６．６Ｗと非常に省電力であり、平均的なパチンコ店のパチンコ機設置台数は１店舗当たり約３００台であるが、本分煙装置を３００台設置しても、合計の消費電力は２．０ＫＷと非常に少なく、営業時間を１４時間として連続運転した場合でも、電気代は約１８，０００円／月程度である。騒音については、強運転で約３３ｄＢであるが、弱運転にすることで約２８ｄＢになり、周囲がうるさいこともあり全く気になることがない。
【００５５】
また、脱臭フィルタ２０を通過する風量は、弱運転において１台当たり約３３ｍ3／ｈと非常に少ないが、本製品を３００台設置した場合には合計風量は１００００ｍ3／ｈとなり、脱臭フィルタ２０の仕様として厚みが約３ｍｍの非常に低圧損で脱臭効率が３０％と低くて安価なものを使用しても、例えば営業時間帯は連続運転することで、大量の空気を脱臭できるため、パチンコ店全体の室内環境が大幅に改善できる。さらには、営業時間外の全ての時間帯も運転することにより、すなわち常時運転した場合には、汚れた空気の淀みがなくなり、換気扇の換気効率も向上しパチンコ店全体の室内環境がより一層改善されることとなる。
【図面の簡単な説明】
【００５６】
【図１】本発明に係る実施の形態１の分煙装置が設置された遊技場の斜視図である。
【図２】分煙装置の正面側から見た縦断面図である。
【図３】分煙装置の上面側から見た横断面図である。
【図４】分煙装置の右側面側から見た縦断面図である。
【図５】右側面に設けられたグリルを開放した状態の分煙装置の斜視図である。
【図６】分煙装置の右側面側斜め下方からから見た斜視図である。
【図７】分煙装置が形成するエアーカーテンの風速測定位置を示す図である。
【図８】分煙装置の出力通常の場合の吹出口から８０ｃｍ下方の水平面位置の吹出風速分布を示す説明図である。
【図９】分煙装置の出力通常の場合の吹出口から５０ｃｍ下方の水平面位置の吹出風速分布を示す説明図である。
【図１０】分煙装置の出力所定量減の場合の分煙装置の吹出口から８０ｃｍ下方の水平面位置の吹出風速分布を示す説明図である。
【図１１】分煙装置の出力所定量減の場合の分煙装置の吹出口から５０ｃｍ下方の水平面位置の吹出風速分布を示す説明図である。
【図１２】分煙装置の出力所定量減、吹出口面積縮小の場合の分煙装置の吹出口から８０ｃｍ下方の水平面位置の吹出風速分布を示す説明図である。
【図１３】分煙装置の出力所定量減、吹出口面積縮小の場合の分煙装置の吹出口から５０ｃｍ下方の水平面位置の吹出風速分布を示す説明図である。
【図１４】分煙装置の出力が最小の場合の分煙装置の吹出口から８０ｃｍ下方の水平面位置の吹出風速分布を示す説明図である。
【図１５】本発明に係る実施の形態２の分煙装置が設置された遊技場の斜視図である。
【符号の説明】
【００５７】
１  パチンコ機
２  メンテナンス板
３  正面ガラス
４  パチンコ機本体部
５  上段玉受皿
６  下段玉受皿
７  電動ハンドル
８  操作部
９  データ表示機
１０  データ表示機取付面
１１  テーブル
１２，４２  分煙装置
１３  モーター
１４  分煙装置本体
１４ａ  モーター取付板
１５  本体取付穴
１６  シロッコファン
１７  ファンケーシング
１８  吸入口
１９  フィルターホルダー
２０  脱臭フィルタ
２１  吸込グリル
２２  フィルタ押え
２３  吹出口
２４  吹出しルーバー
２５  本体ケース
２６  運転入切スイッチ
２７  出力強弱スイッチ
２８  送風機
【図１】
2007275353.tif 000003
【図２】
2007275353.tif 000004
【図３】
2007275353.tif 000005
【図４】
2007275353.tif 000006
【図５】
2007275353.tif 000007
【図６】
2007275353.tif 000008
【図７】
2007275353.tif 000009
【図８】
2007275353.tif 000010
【図９】
2007275353.tif 000011
【図１０】
2007275353.tif 000012
【図１１】
2007275353.tif 000013
【図１２】
2007275353.tif 000014
【図１３】
2007275353.tif 000015
【図１４】
2007275353.tif 000016
【図１５】
2007275353.tif 000017